(57)【特許請求の範囲】
【請求項１】
杭穴内に既製杭を埋設して、以下のようにして前記既製杭の上端部にフーチング構造体を構築したことを特徴とするフーチング一体の基礎杭構造。
(1) 前記既製杭は、「コンクリート製の杭本体の外周を鋼管で被覆した既製杭であって、前記鋼管の上端部を前記杭本体の上端より突出させた既製杭」または「コンクリート製の本体上に鋼管を連結した既製杭」とし、前記鋼管の上端部に予め、複数の第一貫通孔を形成した。
(2) 前記既製杭の上端部であって、鋼管内又は鋼管の外周側に、少なくとも上部又は下部に平坦側面を有する角筒部を形成した鋼製のアタッチメントを配置して、前記アタッチメントに設けた第二貫通孔と前記第一貫通孔とを連通させ、前記第一貫通孔と前記第二貫通孔とに固定手段を挿通して、前記鋼管の上端部に前記アタッチメントを固定した。
(3) 前記第一貫通孔と第二貫通孔の少なくとも一方を横方向の長孔とした。
(4) 前記アタッチメントの角筒部の前記平坦側面に前記フーチングの構造体を固定した。
【請求項２】
以下のように構成したことを特徴とする請求項１に記載のフーチング一体の基礎杭構造。
(1) 既製杭を「コンクリート製の杭本体の外周を鋼管で被覆した既製杭であって、前記鋼管の上端部を前記杭本体の上端より突出させた既製杭」とした。
(2) 前記鋼管の内面であって、前記杭本体より上方に、前記杭本体と略同一断面形状の保護筒体を設置して、前記保護筒体の外面を前記鋼管の内面に密着して、前記鋼管の第一貫通孔を塞いだ状態で、杭穴内に埋設した。
(3) 前記既製杭の埋設が完了した状態で、前記保護筒体を除去して、前記既製杭にアタッチメントを固定した。
【請求項３】
以下のように構成したことを特徴とする請求項１に記載のフーチング一体の基礎杭構造。
(1) アタッチメントを横断面が正方形の角筒からなり、下部に横方向の長孔からなる第二貫通孔を設けた。
(2) 前記アタッチメントの下部内面は、既製杭の上端部を緩く嵌合できる形状とした。
【請求項４】
杭穴内に既製杭を埋設して、以下のようにして前記既製杭の上端部にフーチング構造体を構築したことを特徴とするフーチング一体の基礎杭構造。
(1) 前記既製杭は、「コンクリート製の本体の外周を鋼管で被覆した既製杭であって、前記鋼管の上端部を前記本体の上端より突出させた既製杭」または「コンクリート製の杭本体上に鋼管を連結した既製杭」とした。
(2) 前記鋼管の内面であって、前記杭本体より上方に、除去容易の保護筒体を配置した。
(3) 前記既製杭を埋設した後に、前記保護筒体を除去して、前記鋼管の上端部に前記フーチングの構造体を固定した。
【請求項５】
以下のように構成したことを特徴とする請求項１または４記載のフーチング一体の基礎杭構造。
(1) 既製杭は、下端に他の既製杭との連結用の下端板を設けるとともに、杭本体の上端に上端板を設け、かつ鋼管の上端に突出端板を設けた。
(2) 杭穴内に、他のコンクリート製の下部既製杭を埋設して、該下部コンクリート上に既製杭を連結した。
【請求項６】
杭穴内に、既製杭を埋設して、以下のように前記既製杭の上端部に、鋼製のアタッチメントを介してフーチング構造体を構築することを特徴としたフーチング一体の基礎杭の構築方法。
(1) 前記既製杭を以下のように構成する。
(a) コンクリート製の杭本体の外周を鋼管で被覆して、前記鋼管の上端部を前記杭本体の上端より上方に突出させる。
(b) 鋼管の上端部に複数の第一貫通孔を形成する。
(c) 前記杭本体の上端に、前記杭本体と略同一断面形状の保護筒体を、着脱可能に設置して、前記保護筒体の外面を前記鋼管の内面に密着させ、前記鋼管の第一貫通孔を塞いだ状態としてある。
(2) 前記アタッチメントは、上部及び下部からなり、少なくとも前記上部が平坦側面を有する四角筒で形成され、「前記下部が前記既製杭の前記鋼管内に緩く嵌挿でき、あるいは前記鋼管の外周に緩く嵌装できる形状とし」かつ「前記下部に横方向の長孔からなる第二貫通孔を形成する。」
(3) 所定の杭穴を掘削して、あるいは杭穴を掘削しつつ、前記杭穴内に、前記保護筒体を有する既製杭を埋設する。
(4) 前記既製杭を所定深さに埋設した後、前記既製杭から前記保護筒体を取り外し、前記鋼管の上端部の内面および第一貫通孔を露出させる。
(5) 前記鋼管内又は鋼管の外周側に、前記アタッチメントを設置し、前記アタッチメントに設けた第二貫通孔と前記第一貫通孔とを連通させ、前記第一貫通孔と前記第二貫通孔とに固定手段を挿通して、前記鋼管の上端部に前記アタッチメントを固定する。
(6) 前記鋼製アタッチメントの上部の平坦側面に前記フーチング構造体を固定する。
【請求項７】
杭穴内に、既製杭を埋設して、以下のように前記既製杭の上端部にフーチング構造体を構築することを特徴としたフーチング一体の基礎杭の構築方法。
(1) 前記既製杭を以下のように構成する。
(a) コンクリート製の杭本体の外周を鋼管で被覆して、前記鋼管の上端部を前記杭本体の上端より上方に突出させる。
(b) 前記杭本体の上端に、前記杭本体と略同一断面形状の保護筒体を、着脱可能に設置して、前記保護筒体の外面を前記鋼管の内面に密着させた状態としてある。
(2 ) 所定の杭穴を掘削して、あるいは杭穴を掘削しつつ、前記杭穴内に、前記保護筒体を有する既製杭を埋設する。
(3) 前記既製杭を所定深さに埋設した後、前記既製杭から前記保護筒体を取り外し、前記鋼管の上端部の内面を露出させる。
(4) 前記鋼管の上端部の内面又は外面に、前記フーチング構造体を固定する。
【発明の詳細な説明】
【技術分野】
【０００１】
本発明は、既製杭を埋設して構成した基礎杭の上端部を、上方構造物のフーチングに容易に定着させるフーチング一体の基礎杭構造及びフーチング一体の基礎杭の構築方法に関する。
【背景技術】
【０００２】
従来基礎杭の上端部は上部構造物の下端部（フーチング）に定着させることにより、上部構造物の鉛直荷重などの各種荷重を基礎杭で受けることができた。通常円形断面でコンクリート系や鉄骨系の構造体である既製杭と、鉄筋コンクリート構造、鉄骨構造、鉄骨鉄筋コンクリート構造の上部構造物とをつなぐことは面倒であった。一般には、コンクリート系の基礎杭であれば、上端部のコンクリ−トを崩して、構造鉄筋を露出させる必要があり、作業が面倒であった。
【０００３】
そこで、例えば、コンクリート製の既製杭で、上端部で構造鉄筋の周りに剥離剤を塗って、上端部を崩し易い構造とした提案があった（特許文献１）。  
また、既製杭の上端に鋼管を接合して、鋼管内にコンクリートを充填して、鉄骨柱の下端部をこのコンクリート内に埋設させる提案があった（特許文献２）。  
また、鋼管杭では、鋼管の上端部に貫通孔を設けて、フーチング用の鉄筋を通す発明も提案されている（特許文献３、４）。
【先行技術文献】
【特許文献】
【０００４】
【特許文献１】特開２０１１−８０３１３号公報
【特許文献２】特開２００４−１６２３７４号公報
【特許文献３】特開２００２−２２７２２０号公報
【特許文献４】特開２００１−３０２５８４号公報
【発明の概要】
【発明が解決しようとする課題】
【０００５】
既製杭の上端部のコンクリート部分を崩して構造鉄筋を露出させる場合（特許文献１）には、剥離剤がその後の構造鉄筋の定着に支障がないように処理する必要があり、既製杭の上端に予め接続用の鋼管を固定した状態で埋設する場合（特許文献２）には、杭打ち機にて埋設する作業に工夫が必要であった。また、鋼管の上端部にフーチングの鉄筋を通す貫通孔を設ける場合（特許文献３、４）も同様に施工時に工夫が必要であった。さらに、上端部に鋼管を配置する場合には施工時に鋼管内面が汚れる問題点があった。
【課題を解決するための手段】
【０００６】
本発明は、コンクリート製の既製杭の杭本体の外周に鋼管を配置し、杭本体の上端より鋼管の上端を突出させ、平坦側面を有するアタッチメントを配置したので、あるいは鋼管の内面であって杭本体の上端より上方に除去容易の保護筒体を配置したので、前記問題点を解決した。
【０００７】
即ちこの基礎杭構造の発明は、杭穴内に既製杭を埋設して、以下のようにして前記既製杭の上端部にフーチング構造体を構築したことを特徴とするフーチング一体の基礎杭構造である。  
(1) 前記既製杭は、「コンクリート製の杭本体の外周を鋼管で被覆した既製杭であって、前記鋼管の上端部を前記杭本体の上端より突出させた既製杭」または「コンクリート製の本体上に鋼管を連結した既製杭」とし、前記鋼管の上端部に予め、複数の第一貫通孔を形成した。  
(2) 前記既製杭の上端部であって、鋼管内又は鋼管の外周側に、少なくとも上部又は下部に平坦側面を有する角筒部を形成した鋼製のアタッチメントを配置して、前記アタッチメントに設けた第二貫通孔と前記第一貫通孔とを連通させ、前記第一貫通孔と前記第二貫通孔とに固定手段を挿通して、前記鋼管の上端部に前記アタッチメントを固定した。  
(3) 前記第一貫通孔と第二貫通孔の少なくとも一方を横方向の長孔とした。  
(4) 前記アタッチメントの角筒部の前記平坦側面に前記フーチングの構造体を固定した。
【０００８】
前記において、以下のように構成したことを特徴とするフーチング一体の基礎杭構造である。  
(1) 既製杭を「コンクリート製の杭本体の外周を鋼管で被覆した既製杭であって、前記鋼管の上端部を前記杭本体の上端より突出させた既製杭」とした。  
(2) 前記鋼管の内面であって、前記杭本体より上方に、前記杭本体と略同一断面形状の保護筒体を設置して、前記保護筒体の外面を前記鋼管の内面に密着して、前記鋼管の第一貫通孔を塞いだ状態で、杭穴内に埋設した。  
(3) 前記既製杭の埋設が完了した状態で、前記保護筒体を除去して、前記既製杭にアタッチメントを固定した。
【０００９】
また、前記において、以下のように構成したことを特徴とするフーチング一体の基礎杭構造である。  
(1) アタッチメントを横断面が正方形の角筒からなり、下部に横方向の長孔からなる第二貫通孔を設けた。  
(2) 前記アタッチメントの下部内面は、既製杭の上端部を緩く嵌合できる形状とした。
【００１０】
また、他の基礎杭構造の発明は、杭穴内に既製杭を埋設して、以下のようにして前記既製杭の上端部にフーチング構造体を構築したことを特徴とするフーチング一体の基礎杭構造である。  
(1) 前記既製杭は、「コンクリート製の本体の外周を鋼管で被覆した既製杭であって、前記鋼管の上端部を前記本体の上端より突出させた既製杭」または「コンクリート製の杭本体上に鋼管を連結した既製杭」とした。  
(2) 前記鋼管の内面であって、前記杭本体より上方に、除去容易の保護筒体を配置した。  
(3) 前記既製杭を埋設した後に、前記保護筒体を除去して、前記鋼管の上端部に前記フーチングの構造体を固定した。
【００１１】
前記各基礎杭構造の発明において、以下のように構成したことを特徴とするフーチング一体の基礎杭構造である。  
(1) 既製杭は、下端に他の既製杭との連結用の下端板を設けるとともに、杭本体の上端に上端板を設け、かつ鋼管の上端に突出端板を設けた。  
(2) 杭穴内に、他のコンクリート製の下部既製杭を埋設して、該下部コンクリート上に既製杭を連結した。
【００１２】
また、構築方法の発明は、杭穴内に、既製杭を埋設して、以下のように前記既製杭の上端部に、鋼製のアタッチメントを介してフーチング構造体を構築することを特徴としたフーチング一体の基礎杭の構築方法である。  
(1) 前記既製杭を以下のように構成する。  
(a) コンクリート製の杭本体の外周を鋼管で被覆して、前記鋼管の上端部を前記杭本体の上端より上方に突出させる。  
(b) 鋼管の上端部に複数の第一貫通孔を形成する。  
(c) 前記杭本体の上端に、前記杭本体と略同一断面形状の保護筒体を、着脱可能に設置して、前記保護筒体の外面を前記鋼管の内面に密着させ、前記鋼管の第一貫通孔を塞いだ状態としてある。  
(2) 前記アタッチメントは、上部及び下部からなり、少なくとも前記上部が平坦側面を有する四角筒で形成され、「前記下部が前記既製杭の前記鋼管内に緩く嵌挿でき、あるいは前記鋼管の外周に緩く嵌装できる形状とし」かつ「前記下部に横方向の長孔からなる第二貫通孔を形成する。」
(3) 所定の杭穴を掘削して、あるいは杭穴を掘削しつつ、前記杭穴内に、前記保護筒体を有する既製杭を埋設する。  
(4) 前記既製杭を所定深さに埋設した後、前記既製杭から前記保護筒体を取り外し、前記鋼管の上端部の内面および第一貫通孔を露出させる。  
(5) 前記鋼管内又は鋼管の外周側に、前記アタッチメントを設置し、前記アタッチメントに設けた第二貫通孔と前記第一貫通孔とを連通させ、前記第一貫通孔と前記第二貫通孔とに固定手段を挿通して、前記鋼管の上端部に前記アタッチメントを固定する。  
(6) 前記鋼製アタッチメントの上部の平坦側面に前記フーチング構造体を固定する。
【００１３】
また、他の構築方法の発明は、杭穴内に、既製杭を埋設して、以下のように前記既製杭の上端部にフーチング構造体を構築することを特徴としたフーチング一体の基礎杭の構築方法である。  
(1) 前記既製杭を以下のように構成する。  
(a) コンクリート製の杭本体の外周を鋼管で被覆して、前記鋼管の上端部を前記杭本体の上端より上方に突出させる。  
(b) 前記杭本体の上端に、前記杭本体と略同一断面形状の保護筒体を、着脱可能に設置して、前記保護筒体の外面を前記鋼管の内面に密着させた状態としてある。  
(2 ) 所定の杭穴を掘削して、あるいは杭穴を掘削しつつ、前記杭穴内に、前記保護筒体を有する既製杭を埋設する。  
(3) 前記既製杭を所定深さに埋設した後、前記既製杭から前記保護筒体を取り外し、前記鋼管の上端部の内面を露出させる。  
(4) 前記鋼管の上端部の内面又は外面に、前記フーチング構造体を固定する。
【発明の効果】
【００１４】
この発明は、コンクリート製の既製杭の杭本体の外周に鋼管を配置し、杭本体の上端より鋼管の上端を突出させ、平坦側面を有するアタッチメントを配置した取り付けたので、既製杭の傾斜や位置の不具合を微調節して、アタッチメントに地中梁を容易に固定でき、フーチング一体の既製杭を容易に構築できる。とりわけ、既製杭が１ｍを越すような大径となった場合などフーチングも大型化するので、フーチングの型枠の構築や既製杭をフーチング内に定着させるための配筋などを簡略化して、施工の簡略化や工期の短縮を図ることができる。  
また、鋼管の内面であって杭本体の上端より上方に除去容易の保護筒体を配置したので、地中梁の構築時まで、鋼管の内面を保護して、鋼管の清掃などの作業を省略して地中梁の構築作業を簡略化できる。
【図面の簡単な説明】
【００１５】
【図１】この発明の実施態様で使用するアタッチメントで、（ａ）は正面図、（ｂ）は上部のＡ１−Ａ１断面図、（ｃ）は下部のＡ−Ａ断面図、（ｄ）はアタッチメントと既製杭とを連結した状態を表すＡ２−Ａ２断面図、（ｅ）はアタッチメントと既製杭とを他の連結とした状態を表すＡ２−Ａ２断面図である。
【図２】この発明の実施態様で使用する他のアタッチメントで、（ａ）は平面図、（ｂ）は正面図、（ｃ）は底面図、（ｄ）はＢ−Ｂ断面図、（ｅ）（ｆ）は既製杭と連結した状態のＢ−Ｂ断面図を表す。
【図３】この発明の実施態様で使用する既製杭で、（ａ）は縦断面図、（ｂ）はＣ−Ｃ断面図、（ｃ）は保護筒体などを除去した状態を表す縦断面図である。
【図４】（ａ）〜（ｄ）は、フーチング一体の基礎杭構造を構築する手順を表す概略した縦断面図である。
【図５】（ａ）〜（ｃ）は、他のフーチング一体の基礎杭構造を構築する手順を表す概略した縦断面図である。
【図６】（ａ）〜（ｃ）は、他のフーチング一体の基礎杭構造を構築する手順を表す概略した縦断面図である。
【発明を実施するための形態】
【００１６】
図面に基づいて、この発明の実施態様を説明する。
【００１７】
１．既製杭１の構成
【００１８】
（１）  この発明の実施に使用する既製杭１は、コンクリート製の杭本体２の外周に鋼管１０を設けてなる構造で、いわゆるＳＣ杭と呼ばれる構造である。  
（２）  杭本体２は、ドーナツ状の上端板３と下端板４が配置され、鋼管１０の内側（下端板４と上端板３との間）には緻密な圧縮強度が大きな（例えば、圧縮強度１０５Ｎ／ｍｍ２  程度）コンクリート（モルタル）５が充填されている。  
ドーナツ状の上端板３と下端板４の間に、構造鉄筋又はＰＣ鋼棒などの軸方向の鋼材を埋設させても、あるいは何も配置しなくても、いずれでも可能である。  
（３）  鋼管１０は、杭本体２の下端板４から杭本体２の上端板３を越えてさらに、杭本体２の上面（上端板３の上面）から高さＬだけ上方に突出している。すなわち、上端板３は、鋼管１０の上端からＬだけ下方に配置されている。  
鋼管１０の上端にドーナツ状の突出端板１４（上端板３、下端板４と同様の構造）を取り付け、上端板３と突出端板１４との間には、杭本体２のコンクリート（モルタル）５と同等または比較的圧縮強度が小さな（例えば、圧縮強度  ６０〜８０Ｎ／ｍｍ２  程度）コンクリート（モルタル）１６が充填されている。  
また、鋼管１０で、杭本体２に対応する部分（下端板４から上端板３の間）を基部１１、上端板３から突出端板１４までを突出部１２とする。鋼管１０の突出部１２で上部に、横方向の長孔からなる第一貫通孔１３、１３を軸周りに回転対称に４箇所（角度９０°毎）に、かつ上下に間隔Ｈ０を空けて２段に配置する（図３（ａ）（ｂ））。  
（４）  以上のような構造の既製杭１を、遠心成型で製造する。鋼管１０は外径Ｄ０１、内径Ｄ０２の円筒形に形成される。また、コンクリート５は上端板３、下端板４に挟まれ、コンクリート１６は上端板３と突出端板に挟まれるので、両コンクリート５、１６が混ざることなく、容易に遠心成形で筒型（ドーナッツ型）に成型できる。
【００１９】
（５）既製杭１の他の構成
（ａ）  前記既製杭１の実施態様において、保護筒体としてコンクリート（モルタル）１６を充填したが、遠心成型でコンクリート１６を成型する際に、コンクリート１６をさらに第一貫通孔１３、１３内にも充填して（コンクリート１６の外面に第一貫通孔１３、１３に嵌挿する突部を形成して）、施工中に第一貫通孔１３、１３が汚れないにように保護することもできる（図示していない）。  
（ｂ）  また、前記既製杭１の実施態様において、鋼管１０の突出部１２に、保護筒体として、比較的圧縮強度が小さなコンクリート（モルタル）１６を充填したが、埋設作業時に鋼管１０の突出部１２の内面１２ａが泥土で汚されないことが好ましいので、鋼管１０の突出部１２の内面１２ａにシートや破壊容易な樹脂ブロック（発泡スチロール製など）などの被覆物（保護筒体）が配置されていれば、コンクリート（モルタル）１６は省略することもできる（図示していない）。また、施工時に鋼管１０の突出部１２の内面１２ａを清掃できれば、シートなどの被覆物も省略することができる（図示していない）。  
（ｃ）  また、前記既製杭１の実施態様において、鋼管１０は杭本体２の全体を覆ったが、鋼管の無い杭本体２のみで充分な曲げ強度を確保できれば、外周をコンクリート面とした通常のコンクリート杭から杭本体２を構成し、杭本体２の上端板３に、長さＬの鋼管１０（突出部１２相当分）の下端を溶接などで連結して、既製杭１を構成することもできる（図示していない）。  
（ｄ）  また、前記既製杭１の実施態様において、鋼管１０に対して突出端板１４を着脱可能に取り付けして、突出端板１４の下面にアンカーを下方に向けて固定して、突出端板を引き上げると鋼管１０の突出部１２に位置するコンクリート１６も引き上げられる構造とすることもできる（図示していない）。
【００２０】
２．アタッチメント２０の構成
【００２１】
（１）  外径Ｄ０１の円（＝既製杭１の外径）を緩く内接できる一辺Ｌ１の内寸を有する断面略正方形の角筒からアタッチメント本体２１を構成する。アタッチメント本体２１は、横断面が略正方形であるので、平面視で互いに直角の４つの側面２５、２５を持ち、その側面２５、２５が平坦側面を構成する。前記における「緩く内接できる」とはアタッチメント本体２１の内面２１ａと既製杭１の鋼管１０の突出部１２の外面１２ａとに、軸を中心にして回転できる程度の隙間を有する構造をいう（図１（ｄ））。また、平坦側面は、通常は略鉛直で、鋼製の地中梁の端面を接合できる程度に、凹凸や屈曲の無い面（鉛直面）を指す。  
通常、地上構造物は、平面視でＸ方向とＹ方向の互いに直角な（９０°）方向に梁などが配置される構成となるので、これに対応して、側面（平坦側面）２５が構成できるようにアタッチメント２０を断面正方形としてある。  
（２）  アタッチメント本体２１の下部２３（各側面２５、２５の下部）に、第一貫通孔１３に対応してこれに連通できる横方向の長孔からなる第二貫通孔２６、２６を形成する。第二貫通孔２６は、第一貫通孔１３と同じように、軸周りに回転対称に４箇所（角度９０°毎）設け、かつ上下に間隔Ｈ０を空けて２段に配置する。なお、第二貫通孔２６は、２段以上の多段とすることもできる（図示していない）。  
以上のようにして、アタッチメント２０を構成する（図１（ａ）〜（ｃ））。
【００２２】
（３）アタッチメント２０の他の構成
（ａ）  前記アタッチメント２０の実施態様において、アタッチメント本体２１は、外径Ｄ０１の円を緩く内接できる一辺Ｌ１の内寸を有する角筒から構成したので、既製杭１の鋼管１０の第一貫通孔１３と第二貫通孔２６との位置合わせやボルトでの固定作業が容易になるので好ましいが、設計上許容される程度に既製杭１の芯がずれた場合に、これを吸収する程度の緩さを含めることもできる。さらに、既製杭１の鋼管１０とアタッチメント２０の軸芯を一致させる必要が無いような場合には、アタッチメント本体２１の内面２１ａと既製杭１の鋼管１０の突出部１２の外面１２ｂとに、さらに隙間を多くすることもできる。  
（ｂ）  また、前記アタッチメント２０の実施態様において、横断面が正方形の角筒からアタッチメント本体２１を構成したが、横断面が長方形とすることもできる、また、地上構造物のフーチングが、平面視で３角形をベースにして、互いに６０°で交わるＸ方向、Ｙ方向、Ｚ方向で軸方向が設定される場合などには、６０°や１２０°の内角や外角をもつ、菱形、平行四辺形、三角形、六角形などの横断面形状の角筒を採用することもできる（図示していない）。  
（ｃ）  また、前記アタッチメント２０の実施態様において、アタッチメント本体２１は、上端から下端まで同一断面の筒型としたが、上部２２に側面（平坦側面）２５を形成して、下部２３に既製杭１の鋼管１０と接合する第二貫通孔２６、２６を形成できれば、上部２２と下部２３とで、断面形状を変えることもできる。  
例えば、上部２２を横断面正方形として、下部２３を既製杭１の鋼管１０の突出部１２の外面１２ｂ側に緩く嵌装できる横断面正方形の形状とすることもできる（図２（ａ）〜（ｆ））。この場合には、下部２３の横断面円形の部分に第二権通孔２６、２６を形成する。  
（ｄ）  また、前記アタッチメント２０の実施態様において、アタッチメント２０の上部２２に側面（平坦側面）２５を形成して、下部２３に第二貫通孔２６、２６を形成したが、下部２３に側面（平坦側面）２５を形成して、上部２２に第二貫通孔２６を形成することもできる（図示していない）。  
（ｅ）  また、前記アタッチメント２０の実施態様において、既製杭１の鋼管１０の突出部１２の内面１２ａに、アタッチメント２０の下端部２３を挿入する場合には、鋼管１０の突出部１２の内径Ｄ０２に対応した一辺の長さＬ４の本体２１を有するアタッチメント２０とする（図１（ｅ））。
【００２３】
３．施工方法
【００２４】
（１）  通常の既製杭１の施工と同様に、地面３１から杭穴３２を掘削して、所定数の下部既製杭（下杭）３３、３３を連結しながら埋設して、最上段の下部既製杭３３の上に、既製杭（上杭）１を連結する（図４（ａ））。なお、従来と同様に、いわゆる中掘工法として、既製杭１、３３を連結しながら杭穴３２を掘削しつつ連結した下部既製杭３３、３３、既製杭１を埋設することもできる。  
（２）  続いて、地面３１を所定深さまで掘って、形成予定のフーチングの下面に対応した整地面３４を形成する。整地面３４の形成の後または前、あるいは同時に、鋼管１０の突出部１２で内面のコンクリート１６を除去する、また、必要ならば、突出端板１４も除去する（図４（ｂ））。この状態まで鋼管１０の内面にコンクリート１６が位置しているので、第一貫通孔１３、１３はコンクリート１６に塞がれているので、埋設中に掘削泥土などで、第一貫通孔１３、１３が塞がれることを防止でき、第一貫通孔１３、１３の清掃が容易となる。  
続いて、鋼管１０の突出部１２の外周側にアタッチメント２０の下部２３を被せて、第一貫通孔１３、１３と第二貫通孔２６、２６とを連通させる。この際、第一貫通孔１３と第二貫通孔２６とは横方向の長孔で、かつ上下に等間隔Ｈ０を空けてあるので、アタッチメント２０の側面（平坦側面）２５を鉛直とし、かつ水平方向で所定の方向に一致させつつ、第一貫通孔１３と第二貫通孔２６の連通作業を正確でかつ簡略にすることができる。  
（３）  続いて、第一貫通孔１３と第二貫通孔２６とを連通させたまま、第一貫通孔１３と第二貫通孔２６の周囲で、鋼管１０の内面１２ａにワッシャー板（固定手段）３６、アタッチメント２０の外面２１ｂにワッシャー板（固定手段）３７を宛てて、ワッシャー板（固定手段）３６側からボルト（固定手段）３８をワッシャー板（固定手段）３７、第一貫通孔１３、第二貫通孔２６、ワッシャー板（固定手段）３７と挿通して、ナット（固定手段）３９を螺合緊結する。これにより、既製杭１の鋼管１０の突出部１２とアタッチメント２０が強固に固定される。以上のようにして、フーチング一体の基礎杭構造５０を構成する（図４（ｃ））。  
続いて、アタッチメント２０の側面２５に、Ｈ型鋼からなるフーチング用の地中梁（フーチング構造体）４１の一端を固定する（図４（ｄ））。また、その他必要なフーチングの配筋をして、コンクリートを打設して、フーチングを構成する（図示していない）。  
（４）  なお、第一貫通孔１３、第二貫通孔２６は総ての８箇所で連通させて、ボルト３８を挿入したが、少なくとも連通した２組の第一貫通孔１３、第二貫通孔２６にボルト３８を挿入して固定すればよい（図示していない）。
【００２５】
４．他の実施態様
【００２６】
（１）  前記実施態様において、フーチング構造体としてＨ型鋼からなる地中梁としたが、通常使用される他の断面形状の鉄骨または鉄筋などの鋼材とすることもできる（図示していない）。
【００２７】
（２）  また、前記実施態様において、予めアタッチメント２０の側面２５、２５にフーチング構造体片（フーチング構造体の端部）を固定して、アタッチメント２０を構成することもできる（図示していない）。この場合には、隣接するアタッチメント２０、２０間で、フーチング構造体片間にフーチング構造体を架設して固定する。
【００２８】
（３）  また、前記実施態様において、アタッチメント２０の内側に、さらに地上構造物の柱（通常は鉄骨製）４２の下端部を嵌挿して固定することもできる（図４（ｃ）（ｄ）鎖線図示４２）。
【００２９】
（４）  また、前記実施態様において、アタッチメント２０の側面２５に地中梁４１を固定したが、これを省略して、アタッチメント２０の内側に、地中梁４１を固定した柱（通常は鉄骨製）４２の下端部を嵌挿して固定することもできる（図５（ａ）〜（ｃ））。また、この場合、アタッチメント２０の外側に、地中梁４１を固定した柱（通常は鉄骨製）４２の下端部を嵌装して固定することもできる（図示していない）。
【００３０】
（５）  また、前記実施態様において、既製杭１の鋼管１０に第一貫通孔１３、アタッチメント２０に第二貫通孔２６を、それぞれ対応させて、軸周りに回転対称に４箇所（角度９０°毎）設け、かつ上下に間隔Ｈ０を空けて２段に配置したが、第一貫通孔１３または第二貫通穴２６が、アタッチメント２０に第二貫通孔２６を、それぞれ対応させて、軸周りに回転対称に４つで上下２段に設けたが、第一貫通孔１３および第二貫通孔２６は、少なくとも２つ形成されていれば良い（図示していない）。
【００３１】
（６）  また、前記実施態様において、固定手段として、ボルト３８、ナット３９などを使用したが、リベット類や各種ピン類など、貫通孔同士を使って２枚の板材を固定する際に、通常使用される各種の部材を使用することもできる（図示していない）。
【００３２】
（７）  また、前記実施態様において、アタッチメント２０を省略して、既製杭１の鋼管１０の突出部１２の内側に、地中梁４１を固定した柱（通常は鉄骨製）４２の下端部を嵌挿して固定することもできる（図６（ａ）〜（ｃ））。  
この場合、前記実施態様と同様に、地面３１から杭穴３２を掘削して、所定数の既製杭（下杭）３３、３３を連結しながら埋設して、一番上に、既製杭（上杭）１を連結する（図６（ａ））。続いて、地面３１を所定深さまで掘って、形成予定のフーチングの下面に対応した整地面３４を形成する。整地面３４の形成の後または前、あるいは同時に、鋼管１０の突出部１２で内面のコンクリート１６を除去し、突出端板１４も除去する（図６（ｂ））。続いて、鋼管１０の突出部１２の内側に、上部構造の柱４２を挿入して、柱４２と鋼管１０を溶接などで固定して、基礎杭構造５０とする（図６（ｃ）。この場合、予めまたはその後、柱４２に地中梁４１を通常の方法で固定する。また、この場合、柱４２の下端を下端板３に当てれば、柱４２と鋼管１０の接合作業が容易にできる。  
また、この場合、鋼管１０の突出部１２の外側に、地中梁４１を固定した柱（通常は鉄骨製）４２の下端部を嵌装して固定することもできる（図示していない）。この場合には、コンクリート１６を除去できれば、突出端板１４の除去は不要である。  
また、アタッチメント２０を省略する場合には、第一貫通孔１３、１３を省略することもできる（図６）。また、アタッチメントを省略する場合、鋼管１０の上部を角筒（断面正方形、六角形などアタッチメントと同様）とすれば、上部構造物と接続作業が容易になる（図示していない）。
【符号の説明】
【００３３】
１    既製杭
２    既製杭の杭本体
３    杭本体の上端板
４    杭本体の下端板
５    杭本体のコンクリート
１０  鋼管
１１  鋼管の基部
１２  鋼管の突出部
１２ａ  鋼管の内面
１２ｂ  鋼管の外面
１３  鋼管の第一貫通孔
１４  突出端板
１６  コンクリート（保護筒体）
２０  アタッチメント
２１  アタッチメントの本体
２１ａ  本体の内面
２１ｂ  本体の外面
２２  アタッチメント本体の上部
２３  アタッチメント本体の下部
２５  アタッチメントの側面（平坦側面）
２６  アタッチメントの第二貫通孔
３１  地面
３２  杭穴
３３  既製杭（下杭）
３４  整地面
３６  ワッシャー板（固定手段）
３７  ワッシャー板（固定手段）
３８  ボルト（固定手段）
３９  ナット（固定手段）
４１  地中梁（フーチング構造体）
４２  柱（フーチング構造体）
５０  フーチング一体の基礎杭構造
【図１】
0006430271.tif 000002
【図２】
0006430271.tif 000003
【図３】
0006430271.tif 000004
【図４】
0006430271.tif 000005
【図５】
0006430271.tif 000006
【図６】
0006430271.tif 000007